(57)【要約】【課題】ユーザが携帯端末を操作することなく複数のアプリケーションの中から所望のアプリケーションを起動する。【解決手段】本発明のアプリケーション起動システム１は、複数のアプリケーションに対応して設定された複数の配置位置を備えた携帯端末ホルダ２０と、携帯端末１０に設定されたアプリケーション起動部４３とを有し、複数の配置位置のいずれかに携帯端末１０が配置されると、携帯端末ホルダ２０が携帯端末１０の配置された位置を検出して位置情報を送信し、この位置情報に基づいてアプリケーション起動部４３が携帯端末１０の配置位置に対応するアプリケーションを起動する。【選択図】図１
2014215860.tif 000002
【特許請求の範囲】
【請求項１】
携帯端末を用いて予め設定された複数のアプリケーションを起動するアプリケーション起動システムであって、
前記複数のアプリケーションに対応して設定された複数の配置位置を備え、前記複数の配置位置のいずれかに前記携帯端末が配置されると、前記携帯端末が配置された位置を検出して位置情報を送信する携帯端末位置検出手段と、
前記携帯端末に設定され、前記携帯端末位置検出手段から送信された位置情報に基づいて前記携帯端末が配置された配置位置に対応するアプリケーションを起動するアプリケーション起動手段と
を含むことを特徴とするアプリケーション起動システム。
【請求項２】
前記複数のアプリケーションの少なくとも１つに車載システムに搭載された車載デバイスを操作するための操作アプリケーションが設定され、
前記アプリケーション起動手段は、前記操作アプリケーションを起動させる場合には、前記車載システムと通信して前記車載デバイスを操作することを特徴とする請求項１に記載のアプリケーション起動システム。
【請求項３】
前記携帯端末位置検出手段は、前記携帯端末の充電コイルの位置を検出することによって前記携帯端末が配置された位置を検出することを特徴とする請求項１または２に記載のアプリケーション起動システム。
【請求項４】
携帯端末を用いて予め設定された複数のアプリケーションを起動するアプリケーション起動システムのアプリケーション起動方法であって、
前記複数のアプリケーションに対応して設定された複数の配置位置を備える携帯端末位置検出手段に前記携帯端末が配置されると、前記携帯端末位置検出手段が前記複数の配置位置のうち前記携帯端末が配置された位置を検出して位置情報を送信するステップと、
前記携帯端末に設定されたアプリケーション起動手段が、前記携帯端末位置検出手段から送信された位置情報に基づいて、前記携帯端末が配置された配置位置に対応するアプリケーションを起動するステップと
を含むことを特徴とするアプリケーション起動方法。
【発明の詳細な説明】
【技術分野】
【０００１】
本発明は、携帯端末を用いて予め設定された複数のアプリケーションを起動するアプリケーション起動システム及びそのアプリケーション起動方法に関する。
【背景技術】
【０００２】
従来では、携帯端末を用いて被制御装置のアプリケーションを起動する方法として、特許文献１が開示されている。
【０００３】
この特許文献１で開示されたアプリケーション起動方法では、事前に携帯端末からブルートゥースを利用して動作させるデバイスを登録しておく。そして、登録後にユーザが携帯端末でブルートゥースを起動すると、登録されたデバイスを探索し、デバイスがブルートゥースの通信範囲に入ると、接続を確立してアプリケーションを起動していた。
【先行技術文献】
【特許文献】
【０００４】
【特許文献１】特開２００６−２４５９５７号公報
【発明の概要】
【発明が解決しようとする課題】
【０００５】
しかしながら、上述した従来のアプリケーション起動方法では、複数のアプリケーションが登録されていると、起動させるアプリケーションを選択する必要があるので、ユーザが携帯端末の表示画面を見て操作しなければならないという問題点があった。
【０００６】
そこで、本発明は、上述した実情に鑑みて提案されたものであり、複数のアプリケーションが設定されている場合でも携帯端末を操作せずに所望のアプリケーションを起動させることのできるアプリケーション起動システム及びその方法を提供することを目的とする。
【課題を解決するための手段】
【０００７】
請求項１に記載の発明は、携帯端末を用いて予め設定された複数のアプリケーションを起動するアプリケーション起動システムであって、前記複数のアプリケーションに対応して設定された複数の配置位置を備え、前記複数の配置位置のいずれかに前記携帯端末が配置されると、前記携帯端末が配置された位置を検出して位置情報を送信する携帯端末位置検出手段と、前記携帯端末に設定され、前記携帯端末位置検出手段から送信された位置情報に基づいて前記携帯端末が配置された配置位置に対応するアプリケーションを起動するアプリケーション起動手段とを含むことを特徴とする。
【０００８】
請求項２に記載の発明は、請求項１に記載の発明であって、前記複数のアプリケーションの少なくとも１つに車載システムに搭載された車載デバイスを操作するための操作アプリケーションが設定され、前記アプリケーション起動手段は、前記操作アプリケーションを起動させる場合には、前記車載システムと通信して前記車載デバイスを操作することを特徴とする。
【０００９】
請求項３に記載の発明は、請求項１または２に記載の発明であって、前記携帯端末位置検出手段は、前記携帯端末の充電コイルの位置を検出することによって前記携帯端末が配置された位置を検出することを特徴とする。
【００１０】
請求項４に記載の発明は、携帯端末を用いて予め設定された複数のアプリケーションを起動するアプリケーション起動システムのアプリケーション起動方法であって、前記複数のアプリケーションに対応して設定された複数の配置位置を備える携帯端末位置検出手段に前記携帯端末が配置されると、前記携帯端末位置検出手段が前記複数の配置位置のうち前記携帯端末が配置された位置を検出して位置情報を送信するステップと、前記携帯端末に設定されたアプリケーション起動手段が、前記携帯端末位置検出手段から送信された位置情報に基づいて、前記携帯端末が配置された配置位置に対応するアプリケーションを起動するステップとを含むことを特徴とする。
【発明の効果】
【００１１】
本発明では、複数のアプリケーションに対応して複数の配置位置を設定し、この配置位置のいずれかに携帯端末が配置されると、その位置情報に基づいて配置位置に対応したアプリケーションを起動する。これにより、複数のアプリケーションが設定されている場合でも、ユーザは携帯端末を操作せずに配置位置に置くだけで所望のアプリケーションを起動させることができる。
【図面の簡単な説明】
【００１２】
【図１】図１は、本発明の一実施形態に係るアプリケーション起動システムの構成を示すブロック図である。
【図２】図２は、本発明の一実施形態に係る携帯端末ホルダの構造を説明するための図である。
【図３】図３は、本発明の一実施形態に係る携帯端末ホルダの他の構造を説明するための図である。
【図４】図４は、本発明の一実施形態に係る携帯端末ホルダの内部構造を説明するための図である。
【図５】図５は、本発明の一実施形態に係るマトリクスコイルの構造を説明するための図である。
【図６】図６は、本発明の一実施形態に係るアプリケーション起動システムによるアプリケーション登録処理の処理手順を示すフローチャートである。
【図７】図７は、本発明の一実施形態に係るアプリケーション起動システムによるアプリケーション起動処理の処理手順を示すフローチャートである。
【図８】図８は、本発明の一実施形態に係る携帯端末ホルダの動作を説明するための図である。
【図９】図９は、本発明の一実施形態に係る携帯端末ホルダの動作を説明するための図である。
【図１０】図１０は、本発明の一実施形態に係る携帯端末ホルダの動作を説明するための図である。
【図１１】図１１は、本発明の一実施形態に係る携帯端末ホルダの動作を説明するための図である。
【発明を実施するための形態】
【００１３】
以下、本発明を適用した一実施形態について図面を参照して説明する。
【００１４】
［アプリケーション起動システムの構成］
図１は本実施形態に係るアプリケーション起動システムの構成を示すブロック図である。図１に示すように、本実施形態に係るアプリケーション起動システム１は、携帯端末１０と、携帯端末ホルダ２０と、車載システム３０とを備えている。
【００１５】
アプリケーション起動システム１は、予め設定された複数のアプリケーションのうちユーザが所望するアプリケーションを、携帯端末１０の操作なしで起動するためのシステムである。尚、本実施形態では、アプリケーション起動システム１を車両に搭載した場合を一例として説明する。また、起動対象となるアプリケーションは、携帯端末１０に設定されたデバイスのアプリケーションでもよいし、車載システム３０に搭載された車載デバイスを操作するための操作アプリケーションであってもよい。
【００１６】
携帯端末１０は、メールやＳＮＳ、オーディオプレイヤー等のデバイスが設定され、これらのデバイスを動作させるアプリケーションがインストールされて実行することが可能な端末である。具体的には携帯電話機やスマートフォン、タブレット端末等である。ここで、携帯端末１０は、図１に示すように制御部１２と、記憶部１４と、充電部１６と、無線部１８とを備えている。
【００１７】
制御部１２は、アプリケーションの登録及び起動を制御するための処理を実行しており、アプリケーション登録部４１と、アプリケーション起動部４３とを備えている。
【００１８】
アプリケーション登録部４１は、アプリケーション起動システム１で起動されるアプリケーションを登録するためのアプリケーション登録処理を実行し、生成された登録情報を記憶部１４に格納するとともに携帯端末ホルダ２０に送信する。この登録情報に基づいて、携帯端末ホルダ２０は、設置されている複数の配置位置のそれぞれにアプリケーションを対応させて登録する。
【００１９】
アプリケーション起動部４３は、予め設定された複数のアプリケーションを起動するためのアプリケーション起動処理を実行する手段である。アプリケーション起動部４３は、携帯端末ホルダ２０から送信された位置情報を受信すると、この位置情報に基づいて携帯端末１０が配置された配置位置を検出し、この配置位置に対応するアプリケーションを起動する。
【００２０】
次に、記憶部１４は、アプリケーションの登録及び起動に必要な情報を格納しており、特に携帯端末１０に設定された複数のアプリケーションと携帯端末ホルダ２０の配置位置との対応を記録した登録情報を格納している。
【００２１】
充電部１６は、携帯端末１０に搭載された非接触充電用の誘電コイルを制御して携帯端末ホルダ２０との間で非接触充電を実行する。
【００２２】
無線部１８は、外部装置と無線通信を行う通信手段であり、本実施形態ではブルートゥースによって携帯端末ホルダ２０及び車載システム３０と通信する。ただし、ブルートゥースに限定する必要はなく、無線通信であればその他の通信方法であってもよい。
【００２３】
次に、携帯端末ホルダ２０の構成を説明する。携帯端末ホルダ２０は、複数のアプリケーションに対応して設定された複数の配置位置を備え、これらの配置位置のどこに携帯端末１０が配置されたかを検出して、その位置情報を送信する携帯端末位置検出手段である。
【００２４】
本実施形態では、携帯端末ホルダ２０を非接触充電装置として構成した場合を一例として説明するが、複数の配置位置を備え、それらの配置位置に携帯端末１０が配置されたか否かを検出できる装置であれば、その他の装置であってもよい。
【００２５】
携帯端末ホルダ２０は、図２に示すように車室内のセンターコンソールの位置に設置され、非接触充電を行うために携帯端末１０を置くための場所が４つに区切られて４つの配置位置５０ａ〜５０ｄが設置されている。これらの配置位置には、それぞれアプリケーションが対応して設定されており、例えば配置位置５０ａにはオーディオプレイヤーを動作させるアプリケーションが設定されている。また、配置位置５０ｂには車載システム３０のエアコンを操作するアプリケーション、配置位置５０ｃには車載システムのカーナビゲーションシステムを操作するアプリケーション、配置位置５０ｄにはメールアプリケーションが設定されている。
【００２６】
尚、配置位置の構造としては、図３に示しように携帯端末１０を立てた状態で配置できるようにしてもよい。このような配置方法にすることにより、多くの配置位置を設定できるので、対応して設定されるアプリケーションの数も増やすことができる。
【００２７】
次に、図４を参照して、携帯端末ホルダ２０の内部構造を説明する。図４に示すように、携帯端末ホルダ２０は、マトリクスコイル６１と、ムービングコイル６３と、ブルートゥースアンテナ６５とを備えている。
【００２８】
マトリクスコイル６１は、図５に示すようにマトリクス状に配置されたコイルであり、携帯端末１０の誘電コイル６７との間で充電を行う。
【００２９】
ムービングコイル６３は、位置の移動が可能な誘電コイルであり、マトリクスコイル６１によって携帯端末１０の誘電コイル６７の位置が検出されると、その位置に移動して誘電コイル６７との間で充電を行う。
【００３０】
ブルートゥースアンテナ６５は、携帯端末１０のブルートゥースアンテナ６９との間で通信を行う。
【００３１】
次に、図１を参照して、携帯端末ホルダ２０の構成を説明する。図１に示すように、携帯端末ホルダ２０は、制御部２２と、位置検出部２４と、充電部２６と、無線部２８とを備えている。
【００３２】
制御部２２は、携帯端末１０から受信した登録情報に基づいて、携帯端末ホルダ２０に設置されている複数の配置位置のそれぞれにアプリケーションを対応させて登録する。また、位置検出部２４によって携帯端末１０の位置が検出されると、その位置情報を携帯端末１０へ送信する処理を実行する。
【００３３】
位置検出部２４は、マトリクスコイル６１と携帯端末１０の誘電コイル６７との間で充電が行われると、充電が行われているマトリクスコイル６１上の位置を検出することによって、携帯端末１０が置かれている位置を検出する。
【００３４】
充電部２６は、マトリクスコイル６１及びムービングコイル６３を制御して携帯端末１０の誘電コイル６７との間で非接触充電を実行する。
【００３５】
無線部２８は、外部装置と無線通信を行う通信手段であり、ブルートゥースによって携帯端末１０と通信する。
【００３６】
次に、車載システム３０について説明する。車載システム３０は、図１に示すようにカーオーディオやエアコン、カーナビゲーションシステム等の車載デバイスを搭載しており、携帯端末１０と通信することによって、携帯端末１０がこれらの車載デバイスを操作することが可能なシステムである。具体的には、携帯端末１０で車載デバイスを操作するための操作アプリケーションが起動されると、その操作アプリケーションによって車載デバイスの操作が行われる。
【００３７】
［アプリケーション登録処理の手順］
次に、本実施形態に係るアプリケーション起動システム１によるアプリケーション登録処理の手順を図６のフローチャートを参照して説明する。
【００３８】
図６に示すように、まず携帯端末１０を動作させてアプリケーションの登録を開始すると、ステップＳ１０においてアプリケーション登録部４１が携帯端末１０に登録画面を表示する。この登録画面には登録候補であるデバイスが表示されている。例えば、携帯端末１０のメールやＳＮＳ、カーナビゲーション、オーディオプレイヤー、車載システム３０のカーナビゲーションシステム、カーオーディオ、エアコン等が表示される。
【００３９】
次に、ステップＳ２０においてユーザが登録画面からデバイスを選択して決定すると、ステップＳ３０においてアプリケーション登録部４１が登録情報を記憶部１４に記録する。そして、ステップＳ４０において、アプリケーション登録部４１は無線部１８を介して登録情報を携帯端末ホルダ２０に送信する。
【００４０】
携帯端末ホルダ２０では、ステップＳ５０において、無線部２８を介して制御部２２が登録情報を受信する。そして、この登録情報に基づいて、制御部２２がステップＳ６０において携帯端末ホルダ２０の複数の配置位置にそれぞれアプリケーションを対応させて設定する。
【００４１】
例えば、登録情報に登録されているデバイスがオーディオプレイヤーである場合には、図２に示す配置位置５０ａにオーディオプレイヤーを動作させるアプリケーションを設定する。次に、車載システム３０のエアコンが登録情報に登録されている場合には、配置位置５０ａ以外の配置位置の中から配置位置５０ｂを選択し、この配置位置５０ｂに車載システム３０のエアコンを操作する操作アプリケーションを設定する。また、車載システム３０のカーナビゲーションシステムが登録されている場合には配置位置５０ｃにカーナビゲーションシステムを操作する操作アプリケーションを設定し、メールが登録されている場合にはメールアプリケーションを配置位置５０ｄに設定する。
【００４２】
こうして各配置位置に対応させてアプリケーションの設定が完了すると、ステップＳ７０において、制御部２２は登録の完了を携帯端末１０に送信する。
【００４３】
こうして登録が完了すると、携帯端末１０では、アプリケーション登録部４１が、ステップＳ８０においてユーザが選択したデバイスとそのデバイスを動作させるためのアプリケーションが設定された配置位置との関係を画面に表示してユーザに提示する。そして、ステップＳ９０において、ユーザが登録内容を確認して登録情報を確定すると、記憶部１４に登録情報が格納されて本実施形態に係るアプリケーション登録処理を終了する。
【００４４】
［アプリケーション起動処理の手順］
次に、本実施形態に係るアプリケーション起動システム１によるアプリケーション起動処理の手順を図７のフローチャートを参照して説明する。
【００４５】
図７に示すように、まずステップＳ１１０において、ユーザが、希望するデバイスが設定されている携帯端末ホルダ２０の配置位置５０ａ〜５０ｄのいずれかに携帯端末１０を配置する。例えば、ユーザが携帯端末１０のオーディオプレイヤーを動作させたい場合には、携帯端末１０を図２に示す配置位置５０ａに配置する。
【００４６】
次に、ステップＳ１２０において、携帯端末ホルダ２０のマトリクスコイル６１が作動する。図８に示すように携帯端末１０が携帯端末ホルダ２０の配置位置に置かれると、充電部２６がマトリクスコイル６１を作動させて、携帯端末１０の誘電コイル６７とマトリクスコイル６１との間で電力を発生させる。そして、ステップＳ１３０において、位置検出部２４が、マトリクスコイル６１上の電力が発生している位置を検出する。
【００４７】
次に、ステップＳ１４０において、充電部２６が、図９に示すように位置検出部２４で検出された位置にムービングコイル６３を移動させる。そして、ステップＳ１５０において、充電部２６は、図１０に示すようにムービングコイル６３と携帯端末１０の誘電コイル６７との間で非接触充電を開始する。
【００４８】
こうして非接触充電が開始されると、ステップＳ１６０において、制御部２２は位置検出部２４から位置情報を取得して携帯端末１０に送信する。このとき、無線部２８は、図１１に示すようにブルートゥースアンテナ６５から携帯端末１０のブルートゥースアンテナ６９へ位置情報を送信する。
【００４９】
次に、携帯端末１０では、ステップＳ１７０において、無線部１８がブルートゥースアンテナ６９を介して位置情報を受信する。そして、ステップＳ１８０において、アプリケーション起動部４３が、その位置情報と記憶部１４に格納されている登録情報とに基づいて、アプリケーションを起動する。例えば、アプリケーション起動部４３は、位置情報から携帯端末１０の配置された位置が図２の配置位置５０ａであり、登録情報から配置位置５０ａにはオーディオプレイヤーが対応していると認識することができる。そこで、アプリケーション起動部４３は、これらの情報に基づいて携帯端末１０のオーディオプレイヤーを動作させるアプリケーションを起動する。
【００５０】
同様に、携帯端末１０がエアコンに対応している配置位置５０ｂに配置された場合にはエアコンの操作アプリケーションを起動し、メールに対応している配置位置５０ｄに配置された場合にはメールアプリケーションを起動する。
【００５１】
また、携帯端末１０がカーナビゲーションに対応している配置位置５０ｃに配置された場合には、携帯端末１０のカーナビゲーションを動作させるアプリケーションを起動する。尚、車載システム３０に搭載されているカーナビゲーションシステムを利用する場合には車載のカーナビゲーションシステムを操作するための操作アプリケーションを起動する。
【００５２】
その後、ステップＳ１９０において、各アプリケーションがデバイスを動作させるとともに、必要に応じて車載システム３０と通信して車載システム３０のデバイスを動作させる。
【００５３】
例えば、オーディオプレイヤーを動作させるアプリケーションが起動された場合には、車載システム３０に通信して車載システム３０のデバイスであるカーオーディオの準備を行わせ、携帯端末１０のオーディオプレイヤーで音楽の再生を開始する。そして、その音声信号を車載システム３０に送信し、車載システム３０では音声信号をカーオーディオのスピーカーから車室内へ提供する。このとき、再生する曲を選択する操作等は携帯端末１０で行うことができるが、車載システム３０に搭載された操作パネルを利用して携帯端末１０に操作信号を送信してもよい。
【００５４】
同様に、メールアプリケーションが起動された場合には、車載システム３０に通信して車載システム３０のデバイスであるディスプレイの準備を行わせ、メールの情報を車載システム３０に送信してディスプレイに表示する。
【００５５】
また、エアコンを操作するアプリケーションが起動された場合には、車載システム３０に通信して車載システム３０のデバイスであるエアコンを起動し、携帯端末１０で入力されたエアコン操作情報を車載システム３０に送信する。これにより、エアコン操作情報に応じて車載システム３０のエアコンが動作する。
【００５６】
さらに、携帯端末１０のカーナビゲーションを動作させるアプリケーションが起動された場合には、車載システム３０に通信して車載システム３０のデバイスであるディスプレイの準備を行わせる。そして、ナビゲーション情報を車載システム３０に送信してディスプレイに表示する。また、車載システム３０のカーナビゲーションシステムを操作する操作アプリケーションが起動された場合には、車載システム３０に通信してカーナビゲーションシステムを起動し、携帯端末１０で入力されたナビ操作情報を車載システム３０に送信する。これにより、ナビ操作情報に応じて車載システム３０のカーナビゲーションシステムが動作する。
【００５７】
このようにしてアプリケーションが起動されてデバイスが動作すると、本実施形態に係るアプリケーション起動処理を終了する。
【００５８】
以上詳細に説明したように、本実施形態に係るアプリケーション起動システム１では、複数のアプリケーションに対応させて複数の配置位置を携帯端末ホルダ２０に設定している。そして、これらの配置位置のいずれかに携帯端末１０が配置されると、その位置情報に基づいて配置位置に対応したアプリケーションを起動する。これにより、ユーザは携帯端末を操作せずに配置位置に置くだけで複数のアプリケーションの中から所望のアプリケーションを起動させることができる。
【００５９】
また、本実施形態に係るアプリケーション起動システム１では、車載システム３０に搭載された車載デバイスを操作する操作アプリケーションが設定されている。そして、この操作アプリケーションを起動させる場合には、携帯端末１０が車載システム３０と通信して車載デバイスを操作する。これにより、携帯端末１０に設定されたデバイスだけではなく、車載システム３０に搭載されたデバイスについても操作することが可能となる。
【００６０】
さらに、本実施形態に係るアプリケーション起動システム１では、携帯端末ホルダ２０が、携帯端末１０の充電コイルの位置を検出することによって携帯端末１０が配置された位置を検出する。これにより非接触充電装置を利用して携帯端末ホルダ２０を実現することができるので、既存の装置を利用して安価にシステムを実現することができる。
【００６１】
なお、上述の実施形態は本発明の一例である。このため、本発明は、上述の実施形態に限定されることはなく、この実施形態以外の形態であっても、本発明に係る技術的思想を逸脱しない範囲であれば、設計などに応じて種々の変更が可能であることは勿論である。
【符号の説明】
【００６２】
１  アプリケーション起動システム
１０  携帯端末
１２、２２  制御部
１４  記憶部
１６、２６  充電部
１８、２８  無線部
２０  携帯端末ホルダ
２４  位置検出部
３０  車載システム
４１  アプリケーション登録部
４３  アプリケーション起動部
５０ａ〜５０ｄ  配置位置
６１  マトリクスコイル
６３  ムービングコイル
６５、６９  ブルートゥースアンテナ
６７  誘電コイル
【図１】
2014215860.tif 000003
【図２】
2014215860.tif 000004
【図３】
2014215860.tif 000005
【図４】
2014215860.tif 000006
【図５】
2014215860.tif 000007
【図６】
2014215860.tif 000008
【図７】
2014215860.tif 000009
【図８】
2014215860.tif 000010
【図９】
2014215860.tif 000011
【図１０】
2014215860.tif 000012
【図１１】
2014215860.tif 000013